(57)【要約】【課題】既存の眼鏡に適用できる眼鏡装着型画像表示装置を提案する。【解決手段】観察者の一方の眼球視野内に配置される接眼光学部２ｂと、画像を表示する表示素子を有する画像表示部２ａとを備え、前記画像表示部２ａより射出された画像光を、前記接眼光学部２ｂを経て前記観察者の前記眼球に入射させるようにした眼鏡装着型画像表示装置において、前記画像表示部２ａ及び接眼光学部２ｂの少なくとも一方を、眼鏡のテンプル１ｆをフレームに対して折り畳み可能に支持するヒンジ部ｈ１に固定保持する。【選択図】図１
2010226660.tif 000002
【特許請求の範囲】
【請求項１】
観察者の一方の眼球視野内に配置される接眼光学部と、画像を表示する表示素子を有する画像表示部とを備え、前記画像表示部より射出された画像光を、前記接眼光学部を経て前記観察者の前記眼球に入射させるようにした眼鏡装着型画像表示装置において、
前記画像表示部及び接眼光学部の少なくとも一方を、眼鏡のテンプルをフレームに対して折り畳み可能に支持するヒンジ部に固定保持したことを特徴とする眼鏡装着型画像表示装置。
【請求項２】
前記画像表示部及び接眼光学部はそれぞれ別体構造からなる請求項１に記載の眼鏡装着型画像表示装置。
【請求項３】
前記画像表示部は、眼鏡のヒンジ部とテンプル側の２箇所に固定保持されたものである請求項１または２に記載の眼鏡装着型画像表示装置。
【請求項４】
前記接眼光学部は、眼鏡のヒンジ部と眼鏡のレンズ側の２箇所に固定保持されたものである請求項１〜３の何れかに記載の眼鏡装着型画像表示装置。
【請求項５】
前記画像表示部及び接眼光学部の少なくとも一方は、位置調整部材を有する請求項１〜４の何れかに記載の眼鏡装着型画像表示装置。
【請求項６】
前記位置調整部材は、眼鏡のテンプル若しくは前記画像表示部及び接眼光学部の少なくとも一方からの着脱を可能とするアタッチメント構造からなる請求項５に記載の眼鏡装着型画像表示装置。
【請求項７】
前記接眼光学部は、前記画像表示部からの画像光を導光する導光部からなる請求項１〜６の何れかに記載の眼鏡装着型画像表示装置。
【請求項８】
前記導光部は、画像表示パネルから射出された画像光を、眼鏡レンズの外側を通って入射させる入射端と、光路を経た画像光を、眼球レンズを透過して観察者の眼球へ向けて射出する射出端を有する請求項７に記載の眼鏡装着型画像表示装置。
【請求項９】
前記接眼光学部は、前記画像表示部からの画像光を反射する反射部材からなる請求項１〜６の何れかに記載の眼鏡装着型画像表示装置。
【発明の詳細な説明】
【技術分野】
【０００１】
本発明は、眼鏡装着型画像表示装置に関するものであり、既存の眼鏡への容易な適用を可能にしようとするものである。
【背景技術】
【０００２】
眼鏡装着型の画像表示装置は、眼鏡のテンプル部分に組み付けられた画像表示部（ユニット本体部）から射出された画像光を、導光部等の接眼光学部を通して観察者の眼球に入射させることにより画像として観察できるようにしたものであって、この点に関する先行技術としては、例えば、使用者の眼球の網膜を撮像してその撮像信号を出力するカメラ部と、このカメラ部からの撮像信号を電波で送信する無線通信部と、該カメラ部及び無線通信部に電力を供給する発電部をそれぞれ眼鏡に組み付けて一体化を図った眼鏡型インタフェース装置が提案されている（特許文献１参照）。
【０００３】
また、従来のその他の眼鏡装着型画像表示装置としては、ディスプレイデバイスへリレーされるデータ又はイメージを受ける回路構成を納めたハウジングアッセンブリーを、装着具とクランプによってクランプアッセンブリーにより使用者の眼鏡のテンプルに取り付けた構造のもの（特許文献２）や眼鏡レンズと機械的に干渉しない形状を持った映像形成投影装置をテンプルに保持した構造のもの（特許文献３参照）等、これまでに様々なタイプの装置が提案されている。
【先行技術文献】
【特許文献】
【０００４】
【特許文献１】特開２００５−３５２０２４号公報
【特許文献２】特許第３８７１１８８号明細書
【特許文献３】特開２００８−２２３６２号公報
【０００５】
ところで、従来のこの種の画像表示装置においては、光学ユニットが眼鏡のレンズ部に内蔵されているため、既存の眼鏡を使用することができず、また、光学ユニットが折り畳み可能な構造になっていても、テンプルの折り畳みとは別途に光学ユニットの折り畳み作業を行わなければならことから収納のための作業が煩雑となるのが避けられない等の不具合があり、未だ改善の余地が残されていた。
【発明の概要】
【発明が解決しようとする課題】
【０００６】
本発明の課題は、既存の眼鏡への容易な適用を可能とするとともに、コンパクトな状態でテンプルを折り畳むことができる眼鏡装着型画像表示装置を提案するところにある。
【課題を解決するための手段】
【０００７】
本発明は、観察者の一方の眼球視野内に配置される接眼光学部と、画像を表示する表示素子を有する画像表示部とを備え、前記画像表示部より射出された画像光を、前記接眼光学部を経て前記観察者の前記眼球に入射させるようにした眼鏡装着型画像表示装置において、
前記画像表示部及び接眼光学部の少なくとも一方を、眼鏡のテンプルをフレームに対して折り畳み可能に支持するヒンジ部に固定保持したことを特徴とする眼鏡装着型画像表示装置である。
【０００８】
上記の構成からなる眼鏡装着型画像表示装置においては、画像表示部及び接眼光学部はそれぞれ別体構造とするのが好ましい。また、画像表示部は、眼鏡のヒンジ部とテンプル側の２箇所に固定保持するのが望ましく、接眼光学部は、眼鏡のヒンジ部と眼鏡のレンズ側の２箇所に固定保持するのが望ましい。
【０００９】
画像表示部及び接眼光学部の少なくとも一方には、位置調整部材を設けるのが望ましく、該位置調整部材としては、眼鏡のテンプル若しくは前記画像表示部及び接眼光学部の少なくとも一方からの着脱を可能とするアタッチメント構造とすることができる。
【００１０】
接眼光学部は、前記画像表示部からの画像光を導光する導光部を適用することが可能であり、また、この導光部に代えて画像表示部からの画像光を反射させて観察者の眼球に入射させる反射部材を適用してもよい。接眼光学部として導光部を適用する場合には、画像表示パネルから射出された画像光を、眼鏡レンズの外側を通って入射させる入射端と、光路を経た画像光を、眼球レンズを透過して観察者の眼球へ向けて射出する射出端を有するものを用いる。
【発明の効果】
【００１１】
画像表示部を眼鏡のテンプル側に配置し、接眼光学部を眼鏡のレンズ側に配置し、これら画像表示部を眼鏡のヒンジ部とテンプル側の２箇所で固定保持し、接眼光学部を眼鏡のヒンジ部と眼鏡のレンズ側の２箇所で固定保持するようにしたため、構造の複雑化や部品点数の増加を伴うことなしに既存の眼鏡への適用ができるとともに、テンプルの折り畳みに際して画像表示装置が邪魔にならずコンパクトな収納が可能となる。また、画像表示装置のヒンジ部への取り付けにより、顔の幅等の個人差に起因した位置ずれ（テンプルの撓みによる画像表示部の角度変化）が最小限に留められる。
【００１２】
接眼光学部が画像表示部から切り離された別体構造とすることにより、テンプルを折り畳む際に、接眼光学部はレンズの前面においてそのまま設置姿勢を維持することになり、接眼光学部の眼鏡からの張出しがなくなる。また、画像光を表示する表示素子のヒンジ部近傍への配置が可能となり光学的な「ぶれ」を小さくすることができる。
【００１３】
画像表示部及び接眼光学部の少なくとも一方に位置調整部材を設けておくことにより様々なタイプ（使用者の眼幅の違い等）の眼鏡への適用が可能となる。とくに、位置調整部材をアタッチメント構造とすることにより画像表示装置の着脱が容易となる。
【００１４】
接眼光学部として凹面鏡等の反射部を適用することにより画像表示装置そのもののコンパクト化、構造の簡素化が可能となる。
【００１５】
また、画像光が眼鏡のレンズを透過して接眼光学部（導光部）の入射端に入ると眼鏡レンズには様々な種類があるため表示画像の画質を大きく低下させてしまう不利がある一方、導光部の射出端から出た画像光がレンズを透過することなしに観察者の眼球に入射される場合には、矯正された視力で表示画像を見ることができないので視度の調整機構が別途に必要となるが、画像表示パネルから射出された画像光を、眼鏡レンズの外側を通って入射端に入射させ、射出端から出た画像光を、眼鏡レンズを透過して観察者の眼球へ射出するように接眼光学部（導光部）を配置すると、画質の劣化を防止することができるとともに、視度の調整機構をなくすことが可能となる。
【図面の簡単な説明】
【００１６】
【図１】本発明にしたがう眼鏡装着型画像表示装置を既存の眼鏡に装着した状態を示した外観斜視図である。
【図２】図１の背面を示した図（斜視図）である。
【図３】図１の平面を示した図である。
【図４】画像表示装置を装着した眼鏡について、テンプルを折り畳んだ状態を示した図である。
【図５】本発明にしたがう画像表示装置の他の実施の形態を示した図である。
【図６】位置調整機構の作動要領の説明図である。
【図７】位置調整機構の他の例を示した図である。
【図８】位置調整機構の他の例を示した図である。
【図９】（ａ）（ｂ）はボールジョイントを付加した位置調整機構の作動要領の説明図である。
【図１０】位置調整機構の他の例を示した図である。
【図１１】本発明にしたがう画像表示装置のさらに他の実施の形態を示した図である。
【図１２】図１１の背面を示した図である。
【図１３】図１１の平面を示した図である。
【図１４】導光部の外観斜視図である。
【図１５】テンプルを折り畳んだ状態を示した図である。
【図１６】ヒンジ部の要部拡大図である。
【図１７】本発明にしたがう画像表示装置の別の実施の形態を示した図である。
【図１８】図１７の正面を示した図である。
【図１９】（ａ）〜（ｃ）は表示素子を位置させるのに好適な領域を示した図である。
【図２０】表示素子の設置位置の変動状況の説明図である。
【図２１】表示素子の設置位置の変動状況の説明図である。
【図２２】表示素子の設置位置の変動状況の説明図である。
【発明を実施するための形態】
【００１７】
以下、図面を用いて本発明をより具体的に説明する。
図１は本発明にしたがう画像表示装置の実施の形態を、既存の眼鏡に装着した状態で模式的に示した外観斜視図（右眼用タイプ）であり、図２は図１の背面図（斜視図）を示した図であり、図３は図１の平面を示した図である。
【００１８】
図１〜３における１は眼鏡である。この眼鏡１は、レンズ１ａ、１ｂと、このレンズ１ａ、１ｂを保持するフレーム１ｃと、このフレーム１ｃの左右幅端にそれぞれ一体連結する鎧１ｄ、１ｅと、この鎧１ｄ、１ｅにヒンジ部ｈ１、ｈ２を介して折り畳み可能に連結するテンプル１ｆ、１ｇから構成されている。
【００１９】
また、２は、眼鏡１に装着された画像表示装置である。この画像表示装置２は、画像を表示する表示素子（液晶あるいは有機ＥＬ等の画像表示パネル）を備えた画像表示部２ａと、この画像表示部２ａの先端部分に一体連結する接眼光学部２ｂから構成されている。画像表示部２ａはテンプル１ｆ側に配置され、接眼光学部２ｂはレンズ１ａの前面側で観察者の一方の眼球の視野内に納まるように配置されている。ここに、接眼光学部２ｂは、一端に入射端２ｂ１を有し、他端に射出端２ｂ２を有し、その他の領域に外光の侵入を避けるために表面処理（コーティング等）を施した棒状の導光部（射出端２ｂ２には画像光による画像を表示する虚像位置に応じた曲率をもった接眼レンズが配置される）を適用したものを例として示してある。
【００２０】
３は画像表示部２ａのケース外表面（上壁面）に設けられた連係片（一体連結でもよいし、ビスの如き手段で連結されたものでもよい）である。この連係片３にはヒンジ部ｈ１の枢支ピン（ビス）Ｓを挿通させる開孔（クリアランスホール）３ａが形成されており（図２の拡大図参照）、この開孔３ａに該枢支ピンＳを通してナット等による締め込みにより画像表示部２ａを、接眼光学部２ｂとともに回動可能にヒンジ部ｈ１に固定保持する。
【００２１】
また、４は画像表示部２ａのケース外表面（上壁面）に設けられたクランプである。このクランプ４は、画像表示装置２が枢支ピンＳの周りに回動するのを防止するとともに該画像表示部２ａをテンプル１ｆに固定保持するものであって、テンプル１ｆを両側から挟み込む断面コの字状をなす挟持片からなっており、該画像表示部２ａは、結果的にヒンジ部ｈ１とテンプル側の２箇所において固定保持される。
【００２２】
上記の画像表示装置２は、ヒンジ部ｈ１に設けられる枢支ピン（通常の眼鏡では直径が１．４ｍｍ程度のビスが使用されている。）Ｓと、クランプ４とを利用して２箇所で固定保持されるものであって、既存の眼鏡への容易な適用が可能となる。
【００２３】
画像表示装置２を固定保持するのに使用する連係片３の開孔３ａは、クリアランスホールとなっていることから、図４に示すように、何らの支障がなしテンプル１ｆを折り畳むことができ、この時、画像表示部２ａはテンプル１ｆの動きに追随し１動作で収納が完了する。
【００２４】
図５は、連係片３に開孔３ａに代えて長孔３ｂを形成し、この連係片（長孔付きの連係片３′）で位置調整部材を構成した例を示した本発明にしたがう他の実施の形態を示した図である。
【００２５】
長孔３ｂには開孔３ａと同様にヒンジ部ｈ１の枢支ピンＳを挿通させておき、この部位で画像表示部２ａを固定保持するものであって、この構造のものは、枢支ピンＳにねじ係合するナットを緩め、図６に示すように、長孔３ｂの範囲内で画像表示装置２を前後にスライドさせることを可能（ナットの締め込みで位置が固定される。）とするものであって、眼鏡によってヒンジ部ｈ１の位置に違いがあったとしても該画像表示装置２の水平面内における位置調整が簡単に行える（接眼光学部２ｂのレンズ１ａに対する適切な位置設定が行える）。
【００２６】
位置調整部材３′については、図７に示すように、開孔３ａを複数配列してもよくこの点については適宜変更が可能である。とくに、長孔３ｂを設ける場合あるいは開孔３ａを複数配列して画像表示装置２の前後方向における位置調整を行うに当たっては、眼鏡を幅方向の中央部で左右に二分する軸線Ｌ（図６参照）に対して連係片３′の前端がθ=５〜２５°の角度でもって内向きになる傾斜を付与しておくのがよい。というのは、眼鏡のヒンジ部ｈ１は、通常、レンズに近いものほど眼鏡の幅方向内側にあり、レンズから遠くなるにしたがい眼鏡の幅方向の外側に位置する傾向にあるからであり、θ=５〜２５°の角度を付与しておくことで既存の眼鏡への適用が容易になる。
【００２７】
上記のように構成された位置調整部材３′を適用する場合、クランプ４については、画像表示部２ａの角度変化に応じてその取り付け角度を変更することができるように、画像表示部２ａにおいて回動可能に連結しておく。
【００２８】
連係片３で構成された位置調整部材３′としてはさらにボールジョイント５を付加したものを用いることができる。図８は、画像表示部２ａのケース外表面にボールジョイント５を設け、連係片３の後端部をボールジョイント５の受け部材５ａに連結した例を示したものである。
【００２９】
かかる構造になる画像表示装置２においては、図９（ａ）（ｂ）に示すように、長孔５によりその前方、後方への位置調整（水平面内における位置調整）が行えるだけでなく、上下方向における角度調整を行うことが可能であり、画像表示装置２の位置調整範囲の自由度がより一層拡大される利点がある。
【００３０】
上記位置調整部材３′を構成するボールジョイント５については、図示はしないが、画像表示部２ａ等に適宜着脱可能なアタッチメント構造とすることもできる。ボールジョイント５を適用する場合において画像表示部２ａを所定の角度でもって固定するには、ボールジョイント５の受け部材５ａに設けられているビスを締め込んでボール５ｂを受け部材５ａにおいて固定すればよい。
【００３１】
また、位置調整部材３′は、図１０に示すように、連係片３の後端部に長孔３ｃを形成しておき、この長孔３ｃを利用してボールジョイント５の受け部材５ａに連係片３をビス止め固定してもよく、この場合、この長孔３ｃで画像表示部２ａの前方、後方への位置調整が可能であり、連係片３の先端には枢支ピンＳを挿通させる開孔３ａを設ける。
【００３２】
図１１〜１３は、画像表示部２ａと、接眼光学部２ｂとをそれぞれ別体構造（分割構造体）とし既存の眼鏡に装着した本発明の他の実施の形態を示したものである。
【００３３】
この例で適用される接眼光学部２ｂは、画像表示部２ａとは別体に構成された分割構造体としたものであり、その一端に入射端２ｂ１が形成され、他端に射出端２ｂ２が形成され、その他の領域に外光の侵入を避けるために表面処理（コーティング等）が施された図１４に示すような棒状の導光部（出射部２ｂ２には画像光による画像を表示する虚像位置に応じた曲率をもった接眼レンズが配置されるものであり、基本的には図１〜５のものと同じ）として示してあり、画像表示部２ａの表示素子から窓孔を通して射出された画像光は、接眼光学部２ｂの入射端２ｂ１、導光路、射出端２ｂ２を経て観察者の眼球へ向けて入射される（導光部２ｂは、入射端２ｂ１が眼鏡のレンズ１ａの外側に位置し、射出端２ｂ２がレンズ１ａの前面に位置するように配置する。）。
【００３４】
かかる接眼光学部２ｂは、図１１〜１３に示す如く、ホルダー６によって保持される。ホルダー６は、接眼光学部２ｂの周りを取り囲む口型形状をなす本体部分６ａと、この本体部分６ａに一体的に設けられた片持ち支持形式になる弾性舌片６ｂから構成され、そのうちの弾性舌片６ｂは、レンズ１ａの背面側に位置するようになっており、この弾性舌片６ｂと、ホルダー６に保持された接眼光学部２ｂとの相互間でレンズ１ａを挟み込む（クリップ止め）ことによって該接眼光学部２ｂがレンズ１ａの前面側に位置決めされる。
【００３５】
また、図１１〜１３における７は一端がホルダー６に連結した係止片である。この係止片７は、その要部の分解斜視図を図１２に示したように、他端部に開孔（クリアランスホール）７ａが形成され、該開孔７ａを介してヒンジ部ｈ１の枢支ピンＳに回動可能に連係しており、この係止片７によって接眼光学部２ｂがヒンジ部ｈ１に固定保持され、接眼光学部２ｂのレンズ１ａに対する姿勢が安定的に維持される。
【００３６】
上記の構成になる画像表示装置２は、接眼光学部２ｂがホルダー６の弾性舌片６ｂと連係片７によりヒンジ部ｈ１とレンズ側の２箇所に固定保持されるものであり、テンプル１ｆを折り畳む収納状態にあっても、接眼光学部２ｂのレンズ１ａに対する姿勢が、図１５に示すように、そのまま維持されるため、よりコンパクトな収納が可能となる。
【００３７】
図１６は、ヒンジ部ｈ１の要部を拡大して示した図である。とくに、上掲図１１〜１３に示したような別体構造（分離タイプ）の画像表示装置を既存の眼鏡に装着するに当たっては、画像表示部２ａを固定保持する連係片３をテンプル１ｆの上端または下端に位置させ（図示の例では、テンプル１ｆの上端に位置させた場合として示してある。）、接眼光学部２ｂを固定保持するための係止片７を鎧１ｄの下端または上端に位置させるのがよく（図示の例では、鎧１ｄの下端に位置させた場合として示してある。）、これにより画像表示部２ａはテンプル１ｆに連動し、接眼光学部２ｂがレンズ１ａと連動するため、スムーズな折り畳みが行える。
【００３８】
図１７、１８は、画像表示部２ａと、接眼光学部２ｂとをそれぞれ別体構造とし既存の眼鏡に装着した本発明のさらに別の実施の形態を示したものである。
【００３９】
この例は、接眼光学部２ｂとして眼鏡のレンズ１ａに凹面鏡等で構成された反射部材を設け、画像表示部２ａの表示素子から窓孔２ｃを通して射出された画像光を、該反射部材を経て観察者の眼球に入射させるようにしたものである。
【００４０】
かかる構成になる画像表示装置２は、反射部材として機能する接眼光学部２ｂを眼鏡のレンズ１ａに配置（レンズの前面、背面の何れかに配置されるが、レンズに直接設けてもよい。）あるいはフレーム等に配置することが可能であり、接眼光学部２ｂの設置範囲が比較的自由（調整範囲が広い。）であり、しかも、該接眼光学部２ｂは貼着等ですむため構造の簡素化が可能となる。
【００４１】
画像光を射出する表示素子は、ヒンジ部ｈ１の近傍に位置するように画像表示部２ａの設置位置を決める。というのは、眼鏡の装着状況を考えると、観察者の頭部の幅等には個人差があり、観察者の頭部の幅等に応じてテンプルの撓み量も異なることになるが、該テンプルの撓みはヒンジ部を起点にして起こるので、表示素子をヒンジ部ｈ１の近傍に存在させることによりテンプル１ｆの撓みに由来する光軸のずれを最小限に留めておくことができるからである。
【００４２】
表示素子は、一体型、別体型（分離構造体）の何れにおいても画像表示部２ａに内蔵されることになるので、それを配置するのに最も好適な位置としては、図１９（ａ）〜（ｃ）に示すように、ヒンジｈ１の直下とするのがよい。表示素子がヒンジｈ１の直下に位置するように画像表示部２ａを配置することで、画像表示装置２のサイド側への出っ張りを少なくし、前方側における視界を妨げることがなくなるだけでなく、テンプル１ｆが撓んで表示素子が傾斜しても図２０に示すように、表示素子の中心が入射部２ｂ２からずれることがなくなる（視野範囲から外れることがない。）。
【００４３】
成人男性の頭部の幅寸法は、個人差もあるが通常、１４２〜１６９ｍｍ程度の範囲内にあると考えられ、ヒンジ部ｈ１からテンプルの耳掛け部までの長さを９０ｍｍとすると、テンプルが撓むことでその角度θは図２１に示すように、ヒンジ部ｈ１を起点に内外へ±４°程度変化することになる。ここに表示素子の幅寸法を４ｍｍ程度とし、光軸のずれを１０％程度まで許容できるとすると、０．４ｍｍ／ｔａｎ（４ｄeｇ）＝５．７ｍｍとなることから、表示素子をヒンジ部ｈ１の直下に配置することができず、それより後方へ設置しなければならない場合には、ヒンジ部ｈ１から５．７ｍｍ程度以内とするのがよい。
【００４４】
また、ヒンジ部ｈ１を起点とする左右方向（頭部の幅方向）への表示素子の位置ずれは、図２２に示すように、ヒンジ部ｈ１の中心から遠ざかるほど、その影響は大きくなる。
【００４５】
焦点深度Ｄ．Ｏ．Ｆ（被写界深度によって包括される物体距離の前後範囲に対応した像距離の範囲、すなわち、焦点を合わせた被写体の像が、受け入れ可能な鮮鋭さの範囲で許されるレンズとフィルム面との距離の誤差）から左右方向のずれの許容量を算出すると、
±Ｄ．О．Ｆ．＝{（ω×２５００００）／（Ｎ．Ａ．×Ｍ）}＋{λ／２（Ｎ．Ａ．）２}、ω：眼の分解能０．００１４（眼の視角を５分とした場合）、Ｍ：総合倍率（対物レンズ×接眼レンズ倍率）、λ：光の波長（可視光の場合はλ＝０．５５μｍ）
より、
±Ｄ．О．Ｆ．＝{３５０／（Ｎ．Ａ．×Ｍ）}＋{０．２７５／（Ｎ．Ａ．）２}
となり、ここに、Ｍ＝２５０／ｆ（ｆ＝３２ｍｍ程度）から、Ｍ＝７．８、Ｎ．Ａ．＝瞳孔径／２／ｆ＝０．０６２５（Ｎ．Ａ.が大きくなるほど焦点深度は浅くなる特性を示す）として、
±Ｄ．О．Ｆ．＝７９１μｍ
眼鏡の装着によりテンプル１ｆが撓んで４°程度の傾きが生じた場合において、ヒンジ部ｈ１から最も遠いが焦点深度内である範囲は、７９１／ｔａｎ（４ｄeｇ）＝１１．３ｍｍであり、表示素子の幅寸法を４ｍｍとすると、１１．３−４／２＝９．３ｍｍで幅方向における位置ずれの許容範囲は±９．３ｍｍとなるため、表示素子を幅方向にずれるのが避けられない場合や予めずらして設置しなければならない場合には、ヒンジ部ｈ１の中心から±９．３ｍｍ程度以内に収めるのがよい。
【００４６】
なお、分割タイプの画像表示装置２についても、画像表示部２ａをヒンジ部ｈ１に固定保持する連係片３に長孔３ｂを設けるとともに、ボールジョイント５の如き手段を適用して位置調整部材を構成し、これによって水平面内における位置調整や角度調整を行うようにしてもよく、この点についてはとくに制限はされない。また、水平面内における角度調整機能は図示はしないが廻り止めに持たせるようにしてもよいし、画像表示部２ａを、ヒンジ部ｈ１の枢支ピンＳに回動可能に直接連結してもよい。
【産業上の利用可能性】
【００４７】
既存の眼鏡への容易な適用と、コンパクトな収納を可能とした眼鏡装着型画像装置が提供できる。
【符号の説明】
【００４８】
１      眼鏡
１ａ    レンズ
１ｂ    レンズ
１ｃ    フレーム
１ｄ    鎧
１ｅ    鎧
１ｆ    テンプル
１ｇ    テンプル
２      画像表示装置
２ａ    画像表示部
２ｂ    接眼光学部（導光部、反射部材）
３      連係片
３ａ    開孔
３ｂ    長孔
３ｃ    長孔
３′    位置調整部材
４      クランプ
５      ボールジョイント
５ａ    受け部材
５ｂ    ボール
６      ホルダー
６ａ    本体部分
６ｂ    弾性舌片
７      係止片
７ａ    開孔
Ｓ      枢支ピン
【図１】
2010226660.tif 000003
【図２】
2010226660.tif 000004
【図３】
2010226660.tif 000005
【図４】
2010226660.tif 000006
【図５】
2010226660.tif 000007
【図６】
2010226660.tif 000008
【図７】
2010226660.tif 000009
【図８】
2010226660.tif 000010
【図９】
2010226660.tif 000011
【図１０】
2010226660.tif 000012
【図１１】
2010226660.tif 000013
【図１２】
2010226660.tif 000014
【図１３】
2010226660.tif 000015
【図１４】
2010226660.tif 000016
【図１５】
2010226660.tif 000017
【図１６】
2010226660.tif 000018
【図１７】
2010226660.tif 000019
【図１８】
2010226660.tif 000020
【図１９】
2010226660.tif 000021
【図２０】
2010226660.tif 000022
【図２１】
2010226660.tif 000023
【図２２】
2010226660.tif 000024